(57)【要約】【課題】持出禁止物品をより確実に追跡することが可能な物品管理方法、システム、及びプログラムを提供する。【解決手段】物品管理システム１を構成するＲＦＩＤ読取装置１０が、公共交通機関の出入り口(例えば、自動改札機１００)を通過するユーザ２００が所持する物品３００に付された物品ＩＤ３１０を読み取る。サーバ装置２０は、物品ＩＤ３１０に基づき物品３００が持ち出し禁止の物品であると判定した場合、前記公共交通機関(例えば、自動改札システム４００)からユーザ２００のユーザＩＤ５１０を取得し、このユーザＩＤ５１０を含むメール８００を、予め定められた宛先(例えば、物品３００の管理者が所有するＰＣ６００又は携帯端末７００)に対して通知する。【選択図】図１
2009301459.tif 000002
【特許請求の範囲】
【請求項１】
公共交通機関の出入り口を通過するユーザが所持する物品に付された物品識別情報を取得する第１ステップと、
前記物品識別情報に基づき前記物品が持ち出し禁止の物品であると判定した場合、前記公共交通機関から前記ユーザのユーザ識別情報を取得し、予め定められた宛先に対して通知する第２ステップと、
を備えた物品管理方法。
【請求項２】
請求項１において、
前記第２ステップが、前記公共交通機関から前記出入り口の設置場所情報をさらに取得し、前記宛先に対して通知することを特徴とした物品管理方法。
【請求項３】
請求項２において、
前記第２ステップが、前記公共交通機関から前記ユーザによる前記出入り口の通過時刻をさらに取得し、前記宛先に対して通知することを特徴とした物品管理方法。
【請求項４】
請求項１において、
前記第２ステップが、前記物品識別情報と、前記持ち出し禁止の物品に付された物品識別情報とが一致した場合、前記物品が前記持ち出し禁止の物品であると判定することを特徴とした物品管理方法。
【請求項５】
請求項１において、
前記物品識別情報として、前記物品に内蔵又は外付けされたＲＦＩＤタグに記憶されたＩＤを取得し、
前記ユーザ識別情報として、前記ユーザが前記出入り口を通過する際に使用する通行証に記憶されたＩＤを取得することを特徴とした物品管理方法。
【請求項６】
請求項１において、
前記第２ステップが、前記物品が持ち出し禁止の物品であると判定した場合、前記公共交通機関に対して前記出入り口の閉鎖を指示することを特徴とした物品管理方法。
【請求項７】
請求項１において、
前記第２ステップが、前記物品が持ち出し禁止の物品であると判定した場合、前記公共交通機関に対して前記ユーザへの警告を指示することを特徴とした物品管理方法。
【請求項８】
公共交通機関の出入り口を通過するユーザが所持する物品に付された物品識別情報を読み取る読取装置と、
前記物品識別情報に基づき前記物品が持ち出し禁止の物品であると判定した場合、前記公共交通機関から前記ユーザのユーザ識別情報を取得し、予め定められた宛先に対して通知するサーバ装置と、
を備えた物品管理システム。
【請求項９】
請求項８において、
前記サーバ装置が、前記公共交通機関から前記出入り口の設置場所情報をさらに取得し、前記宛先に対して通知することを特徴とした物品管理システム。
【請求項１０】
請求項９において、
前記サーバ装置が、前記公共交通機関から前記ユーザによる前記出入り口の通過時刻をさらに取得し、前記宛先に対して通知することを特徴とした物品管理システム。
【請求項１１】
請求項８において、
前記サーバ装置が、前記物品識別情報と、前記持ち出し禁止の物品に付された物品識別情報とが一致した場合、前記物品が前記持ち出し禁止の物品であると判定することを特徴とした物品管理システム。
【請求項１２】
請求項８において、
前記物品識別情報が、前記物品に内蔵又は外付けされたＲＦＩＤタグに記憶されたＩＤであり、
前記ユーザ識別情報が、前記ユーザが前記出入り口を通過する際に使用する通行証に記憶されたＩＤであることを特徴とした物品管理システム。
【請求項１３】
請求項８において、
前記サーバ装置が、前記物品が持ち出し禁止の物品であると判定した場合、前記公共交通機関に対して前記出入り口の閉鎖を指示することを特徴とした物品管理システム。
【請求項１４】
請求項８において、
前記サーバ装置が、前記物品が持ち出し禁止の物品であると判定した場合、前記公共交通機関に対して前記ユーザへの警告を指示することを特徴とした物品管理システム。
【請求項１５】
コンピュータに、
公共交通機関の出入り口を通過するユーザが所持する物品に付された物品識別情報を取得する第１ステップと、
前記物品識別情報に基づき前記物品が持ち出し禁止の物品であると判定した場合、前記公共交通機関から前記ユーザのユーザ識別情報を取得し、予め定められた宛先に対して通知する第２ステップと、
を実行させるための物品管理プログラム。
【発明の詳細な説明】
【技術分野】
【０００１】
本発明は、物品管理方法、システム、及びプログラムに関し、特に会社等の建物からの持ち出しが禁止された物品(以下、持出禁止物品と呼称することがある)を管理する方法、システム、及びプログラムに関する。
【背景技術】
【０００２】
上記のような物品管理システムが、特許文献１に記載されている。この特許文献１に記載される物品管理システムにおいては、まず、会社の出入り口に設置に設置されるＲＦＩＤ(Ｒａｄｉｏ Ｆｒｅｑｕｅｎｃｙ ＩＤｅｎｔｉｆｉｃａｔｉｏｎ)読取装置が、持出禁止物品を所持するユーザが社外へ外出しようとした際に、持出禁止物品及びユーザにそれぞれ貼付されたＲＦＩＤタグから物品ＩＤ及びユーザＩＤを読み取ってユーザ端末に対して送信する。
【０００３】
そして、ユーザ端末は、物品ＩＤ及びユーザＩＤが予め記憶している持出禁止リストに含まれる場合、持出禁止物品が社外へ持ち出されようとしている旨をＲＦＩＤ読取装置に通知する。これを受けたＲＦＩＤ読取装置は、スピーカにより警告音を鳴動させる等してユーザに警告を通知し、以てユーザに注意を促す。
【特許文献１】特開２００６−１７１８９７号公報
【発明の開示】
【発明が解決しようとする課題】
【０００４】
しかしながら、上記の特許文献１には、持出禁止物品の追跡が困難であるという課題があった。例えば、持出禁止物品が会社の出入り口を通過した後に別のユーザに引き渡された場合、当該持出禁止物品の所持者を追跡することができない。
【０００５】
従って、本発明は、持出禁止物品をより確実に追跡することが可能な物品管理方法、システム、及びプログラムを提供することを目的とする。
【課題を解決するための手段】
【０００６】
上記の目的を達成するため、本発明の一態様に係る物品管理方法は、公共交通機関の出入り口を通過するユーザが所持する物品に付された物品識別情報を取得する第１ステップと、前記物品識別情報に基づき前記物品が持ち出し禁止の物品であると判定した場合、前記公共交通機関から前記ユーザのユーザ識別情報を取得し、予め定められた宛先に対して通知する第２ステップとを備える。
【０００７】
また、本発明の一態様に係る物品管理システムは、公共交通機関の出入り口を通過するユーザが所持する物品に付された物品識別情報を読み取る読取装置と、前記物品識別情報に基づき前記物品が持ち出し禁止の物品であると判定した場合、前記公共交通機関から前記ユーザのユーザ識別情報を取得し、予め定められた宛先に対して通知するサーバ装置とを備える。
【０００８】
また、本発明の一態様に係る物品管理プログラムは、コンピュータに、公共交通機関の出入り口を通過するユーザが所持する物品に付された物品識別情報を取得する第１ステップと、前記物品識別情報に基づき前記物品が持ち出し禁止の物品であると判定した場合、前記公共交通機関から前記ユーザのユーザ識別情報を取得し、予め定められた宛先に対して通知する第２ステップとを実行させる。
【発明の効果】
【０００９】
本発明によれば、持出禁止物品の所持者が代わるような場合であっても、公共交通機関を利用する時点での所持者を特定できる。このため、持出禁止物品を、上記の特許文献１と比較してより確実に追跡することが可能である。
【発明を実施するための最良の形態】
【００１０】
以下、本発明に係る物品管理方法及びこれを使用するシステムの実施の形態を、図１〜図３を参照して説明する。なお、各図面において、同一要素には同一の符号が付されており、説明の明確化のため、必要に応じて重複説明は省略される。
【００１１】
図１に示す物品管理システム１は、ＲＦＩＤ読取装置１０と、サーバ装置２０とで構成されている。なお、ＲＦＩＤ読取装置１０とサーバ装置２０の間は、専用線を介して接続されても良いし、インターネット等のネットワークＮＷを介して接続されても良い。
【００１２】
図示の如く、ＲＦＩＤ読取装置１０は、一例として鉄道駅に設置される自動改札機１００に併設され、自動改札機１００を通過するユーザ２００が所持する物品３００に付された物品ＩＤ３１０を読み取る。ここで、物品ＩＤ３１０は、物品３００を持出禁止物品と定めた管理者(例えば、会社等の保守部門員)により、物品３００に内蔵又は外付されたＲＦＩＤタグ３２０に記憶されるものである。
【００１３】
また、サーバ装置２０は、ＲＦＩＤ読取装置１０から取得した物品ＩＤ３１０に基づき、後述する如く物品３００が持出禁止物品であるか否かを判定する。物品３００が持出禁止物品であると判定した場合、サーバ装置２０は、ネットワークＮＷを介して、自動改札機１００を制御する自動改札システム４００から、ユーザ２００が自動改札機１００を通過する際に使用する電子定期券等の通行証５００に記憶されたユーザＩＤ５１０を取得する。
【００１４】
そして、サーバ装置２０は、ユーザＩＤ５１０を含む通知メール８００を生成し、物品３００の管理者により予め登録されたＰＣ(Ｐｅｒｓｏｎａｌ Ｃｏｍｐｕｔｅｒ)６００又は携帯端末７００を宛先としてネットワークＮＷに送出する。
【００１５】
なお、自動改札機１００は、通行証５００中の各種情報を読み取る読取部１１０、自動改札システム４００による制御を受けて開閉するゲート１２０、及び通行証５００の有効期限や残高等を表示する表示部１３０を有する一般的な自動改札機である。また、通行証５００は、少なくともユーザ２００を識別(特定)可能な情報が記憶されたものであれば良く、電子定期券に限らず、ユーザ２００が所持する携帯端末(図示せず)のアプリケーション機能を利用したものや磁気定期券等であっても良い。さらに、ＲＦＩＤ読取装置１０は、自動改札機１００に限らず、空港等の種々の公共交通機関の入出場口に併設することができる。この場合、サーバ装置２０は、各公共交通機関の制御システムからユーザ識別情報を取得し、上記と同様にして持出禁止物品の管理者へ通知する。
【００１６】
これにより、管理者は、持出禁止物品の現在の所持者を一意に特定でき、以て持出禁止物品を追跡するための種々の対策を講じることができる。また、持出禁止物品の所持者に限りそのユーザ識別情報を公共交通機関から取得するため、サーバ装置及び公共交通機関の制御システムにおける処理負荷の増大、並びに不必要な個人情報の利用を回避することができる。
【００１７】
以下、図１に示したサーバ装置２０のより詳細な構成例及び動作例を、図２及び図３を参照して説明する。
【００１８】
まず、図２に示すように、サーバ装置２０は、物品情報登録部２１、物品ＩＤ取得部２２、判定部２３、ユーザ情報取得部２４、通知メール送信部２５、警告指示部２６、及びデータベースＤＢを備えている。物品情報登録部２１は、図１に示したＰＣ６００又は携帯端末７００から、管理者が持出禁止物品に付したＩＤ３３０、物品名３４０、及び通知メール８００の宛先メールアドレス３５０を受信してデータベースＤＢに登録する。物品ＩＤ取得部２２は、ＲＦＩＤ読取装置１０から物品ＩＤ３１０を取得する。判定部２３は、データベースＤＢに登録された持出禁止物品ＩＤ３３０と物品ＩＤ３１０とを比較して持出禁止物品が持ち出されたか否かを判定する。ユーザ情報取得部２４は、判定部２３からのユーザ情報取得要求９００に応じて、自動改札システム４００から、ユーザＩＤ５１０、自動改札機１００の設置場所情報５２０、及びユーザ２００による自動改札機１００の通過時刻５３０を取得する。通知メール送信部２５は、判定部２３から受けた持出禁止物品ＩＤ３３０をキーとしてデータベースＤＢから物品名３４０及びメールアドレス３５０を読み出すと共に、持出禁止物品ＩＤ３３０及び物品名３４０、並びに取得部２４により取得されたユーザＩＤ５１０、設置場所情報５２０、及び通過時刻５３０を設定した通知メール８００をメールアドレス３５０宛てに送信する。警告指示部２６は、判定部２３からの警告要求１０００に応じて、自動改札システム４００に対して警告指示１１００を送信する。
【００１９】
ここで、上記の警告指示１１００は、自動改札システム４００に対して、持出禁止物品を所持するユーザ２００へ所望の警告を行うよう指示するためのメッセージである。
【００２０】
次に、図２に示したサーバ装置２０の動作を説明する。
【００２１】
まず、サーバ装置２０内の物品情報登録部２１が、持出禁止物品の管理者から持出禁止物品ＩＤ３３０、物品名３４０、及びメールアドレス３５０を受信し、下記の表１に示す如くデータベースＤＢに登録する。これにより、判定部２３による判定処理が実行可能な状態となる。
【００２２】
【表１】
2009301459.tif 000003
【００２３】
上記の表１では、一例として、持出禁止物品ＩＤ３３０＝"ＸＸＸＸ ＹＹＹＹ ＺＺＺＺ ＡＡＡＡ"、物品名３４０＝"カメラ"、及びメールアドレス３５０＝"ａｂｃｄ＠ｘｙ.ｚｚ.ｎｅ.ｊｐ"が対応付けられたレコードと、持出禁止物品ＩＤ３３０＝"ＸＸＸＸ ＹＹＹＹ ＺＺＺＺ ＢＢＢＢ"、物品名３４０＝"パソコン"、及びメールアドレス３５０＝"ｅｆｇｈ＠ｘｙ.ｚｚ.ｎｅ.ｊｐ"が対応付けられたレコードとが登録されている。
【００２４】
この後、例えば"カメラ"を無断で持ち出した一のユーザ、又はこのユーザから"カメラ"を渡された他のユーザが図１に示した自動改札機１００を通過すると、ＲＦＩＤ読取装置１０により物品ＩＤ３１０＝"ＸＸＸＸ ＹＹＹＹ ＺＺＺＺ ＡＡＡＡ"が読み取られる。この時、物品ＩＤ取得部２２は、図３に示すように、ＲＦＩＤ読取装置１０から物品ＩＤ３１０を取得して判定部２３に与える(ステップＳ１)。
【００２５】
これを受けた判定部２３は、データベースＤＢ中から物品ＩＤ３１０を検索し(ステップＳ２)、物品ＩＤ３１０と一致する持出禁止物品ＩＤ３３０が登録されているか否かを判定する(ステップＳ３)。今、データベースＤＢには、物品ＩＤ３１０と一致する持出禁止物品ＩＤ３３０＝"ＸＸＸＸ ＹＹＹＹ ＺＺＺＺ ＡＡＡＡ"が登録されているため、判定部２３は、当該ユーザにより持出禁止物品が持ち出されたと判断し、持出禁止物品ＩＤ３３０を通知メール送信部２５に与えると共に、ユーザ情報取得要求９００をユーザ情報取得部２４に与える。また、判定部２３は、警告要求１０００を警告指示部２６に与える。なお、データベースＤＢ中から物品ＩＤ３１０と一致する持出禁止物品ＩＤ３３０が検索されなかった場合、判定部２３は処理を終了する。
【００２６】
ユーザ情報取得要求９００を受けたユーザ情報取得部２４は、自動改札システム４００から、当該ユーザについてのユーザＩＤ５１０、設置場所情報５２０、及び通過時刻５３０を取得して通知メール送信部２５に与える(ステップＳ４)。
【００２７】
そして、通知メール送信部２５は、判定部２３から受けた持出禁止物品ＩＤ３３０＝"ＸＸＸＸ ＹＹＹＹ ＺＺＺＺ ＡＡＡＡ"をキーとして、データベースＤＢから物品名３４０＝"カメラ"及びメールアドレス３５０＝"ａｂｃｄ＠ｘｙ.ｚｚ.ｎｅ.ｊｐ"を読み出す。通知メール送信部２５は、判定部２３から受けた持出禁止物品ＩＤ３３０と、データベースＤＢから読み出した物品名３４０と、取得部２４から受けたユーザＩＤ５１０、設置場所情報５２０、及び通過時刻５３０とをメール本文に設定すると共に、宛先アドレスにメールアドレス３５０を設定した通知メール８００をネットワークＮＷに送出する(ステップＳ５)。
【００２８】
これにより、通知メール８００は、持ち出された"カメラ"が各鉄道駅の自動改札機(或いは他の公共交通機関の入出場口)を通過する度毎に、管理者へ到達することとなる。従って、管理者は、通知メール８００中のユーザＩＤ５１０を参照することにより、"カメラ"を現在所持しているユーザを確実に特定することができる。また、管理者は、設置場所情報５２０を参照することにより、当該ユーザの移動経路を把握することができる。さらに、設置場所情報５２０と併せて通過時刻５３０を参照することにより、管理者は、例え通知メール８００の確認が遅れたような場合であっても、当該ユーザの現在位置を予測することができる。
【００２９】
一方、判定部２３からの警告要求１０００を受けた警告指示部２６は、自動改札システム４００に対して、例えば、自動改札機１００のゲート１２０(図１参照)を閉じるよう指示する警告指示１１００を送信する(ステップＳ６)。これを受けた自動改札システム４００は、自動改札機１００を制御してゲート１２０を閉鎖し、以て持出禁止物品を所持するユーザを足止めすることができる。また、警告指示部２６は、自動改札システム４００に対して、自動改札機１００の表示部１３０に警告文を表示するよう指示しても良い。この場合、持出禁止物品を所持するユーザに対して、物品管理システム１の監視下にある旨を警告することができる。
【００３０】
なお、上記の実施の形態によって本発明は限定されるものではなく、特許請求の範囲の記載に基づき、当業者によって種々の変更が可能なことは明らかである。例えば、上記の実施の形態で示したサーバ装置の各処理を、コンピュータに実行させるためのプログラムとして提供することもできる。
【図面の簡単な説明】
【００３１】
【図１】本発明に係る物品管理システムの実施の形態を示したブロック図である。
【図２】本発明に係る物品管理システムに用いるサーバ装置の構成例を示したブロック図である。
【図３】本発明に係る物品管理システムに用いるサーバ装置の動作例を示したフローチャート図である。
【符号の説明】
【００３２】
１  物品管理システム
１０  ＲＦＩＤ読取装置
２０  サーバ装置
２１  物品情報登録部
２２  物品ＩＤ取得部
２３  判定部
２４  ユーザ情報取得部
２５  通知メール送信部
２６  警告指示部
１００  自動改札機
１１０  読取部
１２０  ゲート
１３０  表示部
２００  ユーザ
３００  物品
３１０  物品ＩＤ
３２０  ＲＦＩＤタグ
３３０  持出禁止物品ＩＤ
３４０  物品名
３５０  メールアドレス
４００  自動改札システム
５００  通行証
５１０  ユーザＩＤ
５２０  設置場所情報
５３０  通過時刻
６００  ＰＣ
７００  携帯端末
８００  通知メール
９００  ユーザ情報取得要求
１０００  警告要求
１１００  警告指示
ＤＢ  データベース
ＮＷ  ネットワーク
【図１】
2009301459.tif 000004
【図２】
2009301459.tif 000005
【図３】
2009301459.tif 000006